(57)【要約】  本発明は、プログラムされてもよい命令シーケンス又は測定データから取得されてもよい命令シーケンスを生成することにより、異なる許容テストモードで移動無線装置をテストし、プロトコルテストを制御する方法に関する。プロトコルテストは、移動無線ネットワークをシミュレーションし、信号を移動無線装置に送信し、寛容モードでは、移動電話標準に従って受信応答信号の許容できる逸脱を許容し、エラーとして許容できない逸脱のプロトコルを保持し、厳密モードでは、逸脱時にテストを終了し、テストが終了するとプロトコルを出力装置に出力する。
2010531588.tif 000002
【特許請求の範囲】
【請求項１】
移動無線装置をテストする方法であって、
テスト装置の制御のために命令シーケンスを生成するステップと、
第１又は第２の許容モードを選択するステップと、
テスト装置の制御のために前記命令シーケンスを実行し、前記移動無線装置に信号を送信することにより、実際の移動無線ネットワークをシミュレーションするステップと、
前記移動無線装置の応答信号を受信するステップと、
予想される応答信号との合致に関して前記応答信号を検査するステップと、
第１の寛容モードで、逸脱が定められた場合、前記逸脱が許容できる逸脱であるか検査し、許容できる場合、前記テストを継続するステップと、
第２の厳密モードで、逸脱が定められた場合、前記テストを終了するステップと
を有する方法。
【請求項２】
前記予想される応答信号からの前記応答信号の逸脱の場合、前記逸脱がログ記録されることを特徴とする、請求項１に記載の方法。
【請求項３】
前記第１の寛容モードで、許容できない逸脱が定められた場合、前記テストが終了し、前記許容できない逸脱がログ記録されることを特徴とする、請求項１又は２に記載の方法。
【請求項４】
少なくとも１つの実際の移動無線ネットワーク及び移動無線装置についての情報は、測定装置を用いて記録され、
この情報は、テストシナリオの提供のために命令シーケンスに変換されることを特徴とする、請求項１ないし３のうちいずれか１項に記載の方法。
【請求項５】
所与の命令シーケンスは、テストシナリオの提供のためにプログラミングされる、請求項１ないし３のうちいずれか１項に記載の方法。
【請求項６】
前記寛容モードでの前記許容できる逸脱は、パラメータ範囲を通じて規定される、請求項１ないし５のうちいずれか１項に記載の方法。
【請求項７】
前記寛容モードでの許容できる逸脱は、所要のメッセージ内容を通じて移動無線標準に基づいて規定される、請求項１ないし３のうちいずれか１項に記載の方法。
【請求項８】
前記パラメータ範囲は、前記移動無線装置が１つ以上の基地局の信号メッセージに応答する最小応答時間及び最大応答時間を通じて規定された時間間隔である、請求項６に記載の方法。
【請求項９】
パラメータ範囲は、移動無線標準に従って適用可能な前記移動無線装置の応答信号のシーケンスの量を通じて与えられる、請求項４に記載の方法。
【発明の詳細な説明】
【技術分野】
【０００１】
本発明は、移動無線装置をテストする方法に関する。
【背景技術】
【０００２】
従来技術から、いわゆるフィールドテスト内で実際の条件及び移動無線ネットワークの移動無線データを測定及び記録することにより、移動無線装置がテストされ得る方法が知られている。借りたテストネットワーク又は実際のフィールドで移動無線装置と１つ以上の無線ネットワークの基地局との間の相互作用である相互運用性がテストされる。基地局及び移動無線装置の送信及び応答信号の記録されたデータは、テスト装置としての信号生成器の制御用の命令言語に変換される。テスト環境内では、命令言語の命令シーケンスを無線信号に逆変換する信号生成器であるシミュレーション装置の支援により、移動無線ネットワークがシミュレーションされる。この命令言語を用いて、研究環境で新しいシナリオが開発され得る。
【発明の概要】
【発明が解決しようとする課題】
【０００３】
テストは、移動無線標準に従って予想される通りに移動無線装置がシミュレーションされた基地局の送信信号に応答するか否かを決定するために実行される。従来技術の欠点は、基地局と移動無線装置との間で信号を記録する、実際の移動無線ネットワークでテストシナリオを決定するために使用された移動無線装置のみが、シミュレーションで正確にテストされ得るという点にある。
【０００４】
例えば、信号及び応答信号をログ記録する試運転で、他のモデルが、使用された移動無線装置と全く同じでない応答信号をシミュレーションされた基地局に送信する場合、プロトコルに従って予想される信号から逸脱が生じ、テストされた移動無線装置が実際に移動無線標準に関して不正確に応答しているか否か、或いは逸脱が移動無線装置の形式のみに対応するものであり、使用される移動無線標準に関して許容できる逸脱であるか否かを区別することが不可能である。例えば、移動無線装置Xの応答信号のシーケンスが移動無線装置Yの場合以外であり、このことにも拘らず、双方の移動無線装置X及びYが移動無線標準に従って正確に動作する、すなわち、通常の応答信号で基地局の信号に応答するという可能性がある。
【０００５】
本発明の目的は、応答信号で相互に逸脱し得る異なる形式の移動無線装置をテストすることができる方法を提供することである。
【課題を解決するための手段】
【０００６】
この目的は、請求項１に記載の方法により有利に実現される。第１のステップにおいて、命令シーケンス及び予想される応答信号が生成される。これらは、プログラムされてもよく、測定信号の変換から導かれてもよい。第２のステップにおいて、第１又は第２の許容モード（tolerance  mode）が選択され、第１のモードは寛容モード（tolerant  mode）であり、第２のモードは厳密モード（strict  mode）である。第３のステップにおいて、命令シーケンスの実行を通じて、信号が移動無線装置に送信される移動無線ネットワークをシミュレーションするテスト装置が制御される。第４のステップにおいて、テスト装置は、移動無線装置の応答信号を受信する。第５のステップにおいて、テスト装置は、応答信号が予想される応答信号に従うか否かを検査する。第６のステップにおいて、第１の寛容モードでテスト装置が予想される応答信号から応答信号の逸脱を検出すると、テスト装置は、これが使用される移動無線標準に関して許容できる逸脱であるか否かを検査する。寛容モードでは、逸脱が許容できると認識された場合、方法は継続する。これに対して、厳密モードでは、逸脱が定められると、シミュレーションは終了する。
【０００７】
本発明による方法の有利な更なる展開は、従属項に記載されている。
【図面の簡単な説明】
【０００８】
【図１】請求項１に記載の発明の方法を示す図
【図２】移動無線テストの全体の実装及び本発明による方法の適用の概要を示す図
【図３】テストの構成、特に厳密モード又は寛容モードを設定し、命令シーケンスを編集するグラフィックユーザ画面
【発明を実施するための形態】
【０００９】
本発明の好ましい実施例について、図面を参照して詳細に以下に説明する。
【００１０】
以下では、全ての従属項と共に請求項１に記載の移動無線装置の寛容なテストを行う本発明による方法について、図１を参照して詳細に説明する。移動無線装置は、テスト装置でテストされる。テスト装置は、移動無線ネットワークをシミュレーションする信号生成器を備えたプロトコル・テスタであることが好ましい。移動無線ネットワークをシミュレーションするために、プロトコル・テスタは命令シーケンスを必要とする。命令シーケンスは、テスト中（UDT：under  test）の移動無線装置との接続が設定可能になる信号メッセージが生成され、信号生成器を通じて送信されるように制御する。第１のステップにおいて、装置は、この命令シーケンスを生成する。この命令シーケンスは、測定データから得られてもよく、プログラムされていてもよい。同時に、予想される応答信号が生成される。これは、用意された移動無線装置を用いて実際のネットワークシミュレーションをログ記録することにより、特に簡単な方法で行われる。本発明に関して、無線インタフェースを介して動作中に基地局に送信される又は基地局から受信されるメッセージに関する情報を、更なるインタフェースを介して出力することができる如何なる移動無線装置も、用意されたテスト移動無線装置又は用意された移動無線装置として理解される。
【００１１】
第２のステップにおいて、モードが選択され、モードに従って、テスト中の移動無線装置から受信された応答信号の逸脱が予想される応答信号と比較される。かなり異なるモデルの移動無線装置の全てが１つの移動無線標準に準拠して動作する場合であっても、これらの応答信号は相互に逸脱し得る。例えば、形式Xの移動無線装置が送信する応答信号のシーケンスは、形式Yの移動無線装置が送信するものと異なり得る。それぞれの移動無線標準が規定するシーケンスの要件及び内容に注目すると、このような逸脱は許容できる可能性がある。ここで、移動無線装置がテストされ得る２つのモードが存在する。いわゆる厳密モード（strict  mode）は、応答信号の逸脱を許可しない。応答信号が予想される応答信号から逸脱するとすぐに、テストは中断する。応答信号は、予想される応答信号のシーケンスと内容及びシーケンスで合致しなければならない。
【００１２】
第１のいわゆる寛容モード（tolerant  mode）では、所与の逸脱は、移動無線標準（好ましくはGSM又はUMTS）に従って正確である限り、許容できる。許容できる逸脱は、パラメータ範囲及び／又はメッセージ内容を通じて指定されることが好ましい。基地局が移動無線標準に従って正確に解釈することができる応答信号は、許容できる。許容できる応答信号並びに内容及びシーケンスに関する情報を含むデータバンクが、テスト装置内に格納される。従って、移動無線標準でDUTにより実際に生成された応答信号の比較が可能であり、許容できる逸脱はこれに従って認識可能である。例えば、移動無線装置は、３つの異なる許容できる信号のシーケンス（A-B-C-D、B-A-D-C、C-B-D-A）で基地局の送信シーケンスに応答することができる。
【００１３】
例えば、これらは、応答信号の許容できるシーケンスであり、プロトコル・テスタに知られている。移動無線装置がこれらの許容できるシーケンスの１つで応答できないが、例えばD-C-A-Bで応答する場合、これは移動無線機のエラーである。プロトコル・テスタは、現在のシミュレーションにこのエラーをログ記録することが好ましい。
【００１４】
また、タイミングの逸脱も存在し得る。例えば、移動無線装置Xが時間Txの後にのみ応答信号で受信信号シーケンスに応答し、他の移動無線装置Yが時間Tyの後にのみ応答する。この応答時間Tは、移動無線標準に従って異なってもよい。例えば、移動無線装置が所与の送信信号に応答しなければならない最小応答時間T1と最大応答時間T2との時間範囲[T1...T2]は、許容できる。応答信号がこの範囲外になると、エラーがログ記録され、テストが終了する。
【００１５】
更なる逸脱は、メッセージ内容自体でもよい。例えば、xのエラーが通信中に最後に生じたというメッセージが移動無線装置から基地局に送信されると、寛容モードでは、この数は、予想される応答信号に示されるエラーの数から逸脱し得る。移動無線標準は、所与の送信信号シーケンスへのメッセージ内容の逸脱、例えば[x1...x2]の範囲を可能にする。従って、メッセージが最小で“x1のエラー”及び最大で“x2のエラー”を提供することが許容できる。エラーの数がこの範囲外になると、エラーがログ記録される。
【００１６】
第３のステップにおいて、テスト装置は移動無線ネットワークをシミュレーションし、移動無線装置に信号を送信する。方法の第４のステップにおいて、プロトコル・テスタは、移動無線装置の応答信号を受信する。第５のステップにおいて、プロトコル・テスタは、受信した応答信号が予想される応答信号に従うか否かを検査する。これらが従う場合、プロトコル・テスタは、命令シーケンスが働いていたか否かを問い合わせ、テストが終了する。これらが従わない場合、プロトコル・テスタは、第２の厳密モードが設定されているか否かを検査する。そうである場合、第８のステップにおいて、テストが終了し、テストプロトコルが出力装置（好ましくはソフトウェアプログラム）により出力される。
【００１７】
これに対して、寛容モードが活性化されている場合、第６のステップにおいて、既存の逸脱が許容できるか否かを決定する検査が実施される。そうでない場合、エラーがプロトコル・テスタによってログ記録される。代替として、予想される応答信号からの許容できる逸脱が生じた場合にも、ログ記録されてもよい。そうである場合、命令シーケンスが働いていたか否かの問い合わせ10が行われる。そうである場合、テストが終了し、テストプロトコルが出力される。そうでない場合、ステップ3の次の命令ラインの処理でテストが継続する。
【００１８】
図２に、全体の移動無線テストの概要が機能ブロックの形式の実質的な手順で示されている。ここで使用される本発明による方法は、ブロック6’として、図２に白でハイライトされている。フィールドテストでは、１つ以上の移動無線ネットワークの複数の基地局110が実際の環境に配置されている。用意された移動無線装置120は、基地局110の１つから下りリンクで受信した信号に対して応答信号を送信する。他の基地局（例えば隣接セル）の信号は、これらの無線信号に重ねられ、情報伝送のために移動無線装置120と基地局との間で交換される。
【００１９】
これらの基地局110の信号及び移動無線装置120が送信する応答信号は、測定装置1’（例えば、ネットワーク・スキャナ）及び用意された移動無線装置120により測定されて記録される。用意された移動無線装置120は、その送信及び受信した応答信号と、関連する信号とを分析装置230に指示する。同様に、測定装置1’は、受信した信号を分析装置230に中継する。分析装置230は、無線接続300及び330’の信号を分析し、これらから取得されたデータを格納する。これに関して、用意された移動無線装置120とは異なり、測定装置は、移動無線装置20に関する情報が利用可能でないというような移動無線ネットワークに関する情報をも決定することができる。
【００２０】
前述の例では、開始点は、実際のネットワーク環境の記録である。しかし、どこかで生成された研究室の相互運用テスト又は人工的なネットワーク環境も同様に、命令シーケンスの生成の基礎となってもよい。
【００２１】
データは、分析装置4’からエクスポートされ、読み取り可能な命令シーケンス及び予想される応答信号に変換され、プロトコル・テスタにより実行可能なフォーマットで格納される。ソフトウェア5’は、テスト中の装置120’が厳密モード及び／又は寛容モードの命令シーケンスでテストされているか否かに拘らず、命令シーケンスの編集及びソフトウェアの設定を可能にする。プロトコル・テスタ600は、このように取得された命令シーケンスで制御される。これに関して、命令シーケンスは、必ずしも分析装置から生じる必要はなく、例えば、更なる命令を追加することにより、それ自体でプログラムされてもよい。プロトコル・テスタ600は命令を実行し、それに従って、移動無線ネットワークの少なくとも１つの基地局の下りリンクの送信信号を再現する。テスト中の移動無線装置120’は、フィールドテストで使用された移動無線装置120から逸脱する可能性がある。プロトコル・テスタ600は、信号を移動無線装置120’に送信する。移動無線装置120’は、応答信号で応答する。本発明による方法では、図２のブロック6’に示すように、移動無線装置120’が予想される応答信号を送信するか否かに関して検査が行われる。これに関して、第１の寛容モードでは、移動無線装置の応答信号は、予想される応答信号から逸脱してもよい。予想される応答信号は、用意された移動無線装置のログ記録された動作から生じた応答信号である。これらは、無線接続のログ記録中に正確なタイミングで命令シーケンスに挿入される。命令シーケンスの再生中に、テスタは、命令シーケンスが更に働く前に、予想される信号の到達を待機する。移動無線標準によれば、これは、予想される信号からの許容できる逸脱及び許容できない逸脱を示す。寛容モードでは、プロトコル・テスタは、許容できない逸脱をエラーとしてログ記録し、テストを終了する。
【００２２】
許容できる逸脱の場合、命令シーケンスの終わりに到達するまで、テストが継続する。これに続いて、プロトコル・テスタ600は、テストプロトコルを出力装置に出力し、この後で、例えばソフトウェア15がテストプロトコルを評価する。これに対して、厳密モードでは、予想される応答信号からの最初の逸脱の後に、直ちにテストが終了する。
【００２３】
図３は、ソフトウェアのユーザ画面であり、これで、プロトコル・テスタ600を制御するために命令シーケンスが編集及びプログラムされ得る。ソフトウェアを用いて、命令シーケンス及び予想される応答信号は、リストL100にロードされて編集され得る。命令シーケンスは、プロトコル・テスタ600が読み取って実行することができるフォーマットで測定データのエクスポートから生じる。この場合、このユーザ画面の個々の命令もプログラム及び編集可能である。リストL100において、命令シーケンスの１つの命令は１行毎に記載されている。実行可能命令と共に、リストは、上りリンクメッセージの形式で予想される応答信号に関する情報を含む。列L7及びL8は、主に本発明による方法に関する。列L7は、矢印のシンボルで上りリンクメッセージが関与するか下りリンク命令が関与するかを示す。上りリンク命令では、“右矢印”のグラフィックシンボルが現れ、下りリンク命令では、“左矢印”のグラフィックシンボルが現れる。これに関して、下りリンク命令のみが実際に実行されることに留意しなければならない。これに対して、上りリンクメッセージは、テスト中の移動無線装置の予想される応答信号に対応する。
【００２４】
最後に、列L8は、それ自体編集可能な命令を示している。命令は、削除、変更、追加及び移動されてもよい。予想される応答信号を含む記載された命令シーケンスから一部を切り取り、スタートボタンSを介してこの切り取られた命令シーケンスのみを開始することも可能である。
【００２５】
個々の上りリンク毎に、ポップアップメニューP1を介してこの上りリンクが寛容モードでテストされるか厳密モードでテストされるかを設定することが可能である。編集はまた、別のプログラムを用いて行われてもよい。別のプログラムは、変更される命令を選択するときに呼び出される。
【００２６】
本発明による方法は、提示された例示的な実施例に限定されない。特に、有利には、特徴の個々の組み合わせも可能である。更に、図面に示すパターンは単に例示目的のために提供されるという事実に言及される。
【図１】
2010531588.tif 000003
【図２】
2010531588.tif 000004
【図３】
2010531588.tif 000005
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
移動無線装置をテストする方法であって、
テスト装置の制御のために命令シーケンスを生成するステップと、
第１又は第２の許容モードを選択するステップと、
テスト装置の制御のために前記命令シーケンスを実行し、前記移動無線装置に信号を送信することにより、実際の移動無線ネットワークをシミュレーションするステップと、
前記移動無線装置の応答信号を用いて上りリンクメッセージを受信するステップと、
予想される応答信号との合致に関して前記応答信号の前記上りリンクメッセージを検査するステップと、
第１の寛容モードで、逸脱が定められた場合、前記逸脱が許容できる逸脱であるか検査し、許容できる場合、前記テストを継続するステップと、
第２の厳密モードで、逸脱が定められた場合、前記テストを終了するステップと
を有する方法。
【請求項２】
前記予想される応答信号からの前記応答信号の逸脱の場合、前記逸脱がログ記録されることを特徴とする、請求項１に記載の方法。
【請求項３】
前記第１の寛容モードで、許容できない逸脱が定められた場合、前記テストが終了し、前記許容できない逸脱がログ記録されることを特徴とする、請求項１又は２に記載の方法。
【請求項４】
少なくとも１つの実際の移動無線ネットワーク及び移動無線装置についての情報は、測定装置を用いて記録され、
この情報は、テストシナリオの提供のために命令シーケンスに変換されることを特徴とする、請求項１ないし３のうちいずれか１項に記載の方法。
【請求項５】
所与の命令シーケンスは、テストシナリオの提供のためにプログラミングされる、請求項１ないし３のうちいずれか１項に記載の方法。
【請求項６】
前記寛容モードでの前記許容できる逸脱は、パラメータ範囲を通じて規定される、請求項１ないし５のうちいずれか１項に記載の方法。
【請求項７】
前記寛容モードでの許容できる逸脱は、所要のメッセージ内容を通じて移動無線標準に基づいて規定される、請求項１ないし３のうちいずれか１項に記載の方法。
【請求項８】
前記パラメータ範囲は、前記移動無線装置が１つ以上の基地局の同期メッセージに応答する最小応答時間及び最大応答時間を通じて規定された時間間隔である、請求項６に記載の方法。
【請求項９】
パラメータ範囲は、移動無線標準に従って適用可能な前記移動無線装置の応答信号のシーケンスの量を通じて与えられる、請求項４に記載の方法。
【国際調査報告】
2010531588.tif 000006
2010531588.tif 000007
2010531588.tif 000008
2010531588.tif 000009